(57)【要約】【課題】ＴＤＤ方式で動作する送受信機において、送信部内の回路間で発生する信号干渉を抑えると共に送受信機の大型化を抑える。【解決手段】ＴＤＤ方式で動作する送受信機は、送信部および受信部を含む。送信部は、送信に関する第１処理を行う第１回路と、送信に関する第２処理を行う第２回路と、を含む。受信部は、受信に関する処理を行う第３回路を含む。第３回路は、第１回路と第２回路との間に配置されている。【選択図】図１
2012070141.tif 000002
【特許請求の範囲】
【請求項１】
ＴＤＤ方式で動作する送信部および受信部を含む送受信機であって、
前記送信部は、送信に関する第１処理を行う第１回路と、送信に関する第２処理を行う第２回路と、を含み、
前記受信部は、受信に関する処理を行う第３回路を含み、
前記第３回路は、前記第１回路と前記第２回路との間に配置されている、送受信機。
【請求項２】
請求項１に記載の送受信機において、
前記第１回路は、前記第１処理として、送信信号の電力をモニタする処理を行い、
前記第２回路は、前記第２処理として、前記送信信号のうち前記送信部から出力された後に前記送信部に戻ってきた信号の電力をモニタする処理を行う、送受信機。
【請求項３】
請求項１に記載の送受信機において、
前記第１回路は、前記第１処理として、送信信号を増幅する処理を行い、
前記第２回路は、前記第２処理として、増幅後の前記送信信号の電力をモニタする処理を行う、送受信機。
【請求項４】
請求項１から３のいずれか１項に記載の送受信機において、
前記第３回路は、前記受信に関する処理として、受信信号を増幅する処理を行う、送受信機。
【発明の詳細な説明】
【技術分野】
【０００１】
本発明は、送受信機に関し、特には、ＴＤＤ（Time Division Duplex：時分割複信）方式で動作する送受信機に関する。
【背景技術】
【０００２】
特許文献１には、Ｗ−ＣＤＭＡ（Wideband Code Division Multiple Access）送受信機と、ＧＳＭ（Global System for Mobile communications）送受信機と、を有する送受信機が記載されている。ＧＳＭ送受信機は、ＴＤＤ方式で動作する。Ｗ−ＣＤＭＡ送受信機は、ＦＤＤ（Frequency Division Duplex：周波数分割複信）方式で動作する。Ｗ−ＣＤＭＡ送受信機は、Ｗ−ＣＤＭＡ送信部とＷ−ＣＤＭＡ受信部とを有する。
【０００３】
Ｗ−ＣＤＭＡ送受信機は、ＦＤＤ方式で動作するため、Ｗ−ＣＤＭＡ送信部とＷ−ＣＤＭＡ受信部とは同時期に動作する。このため、Ｗ−ＣＤＭＡ送信部とＷ−ＣＤＭＡ受信部との配置間隔が狭いと、Ｗ−ＣＤＭＡ送信部とＷ−ＣＤＭＡ受信部との間で信号干渉が発生してしまう。
【０００４】
特許文献１に記載の送受信機では、Ｗ−ＣＤＭＡ送信部とＷ−ＣＤＭＡ受信部との間で発生する信号干渉を抑え、かつ、送受信機の大型化を抑えるために、Ｗ−ＣＤＭＡ送信部とＷ−ＣＤＭＡ受信部との配置間隔を広げ、かつ、Ｗ−ＣＤＭＡ送信部とＷ−ＣＤＭＡ受信部との間にＧＳＭ送受信機が配置されている。
【先行技術文献】
【特許文献】
【０００５】
【特許文献１】特開２００６−３４０２５７号公報
【発明の概要】
【発明が解決しようとする課題】
【０００６】
特許文献１に記載の送受信機では、ＦＤＤ方式で動作する送受信機が有する送信部と受信部との間での信号干渉を抑えることは可能である。
【０００７】
しかしながら、特許文献１に記載の送受信機では、ＴＤＤ方式で動作する送受信機が有する送信部が、１箇所にまとめられて配置されているため、ＴＤＤ方式で動作する送受信機が有する送信部内の回路間の信号干渉が問題となる可能性がある。
【０００８】
図３は、ＴＤＤ方式で動作する送受信機が有する送信部内の回路間の信号干渉の問題を説明するためのブロック図である。
【０００９】
図３において、ＴＤＤ方式で動作する送受信機１００は、送信用アンプ１０１と、モニタ回路１０２と、サーキュレータ１０３と、送受信切替スイッチ１０４と、抵抗１０５と、モニタ回路１０６と、受信回路１０７と、配線１０８〜１１０と、端子（TX IN）１１１と、端子（TX MON OUT）１１２と、端子（TX OUT/RX IN）１１３と、端子（TX REV MON OUT）１１４と、端子（RX OUT）１１５と、を含む。
【００１０】
モニタ回路１０２は、モニタ用カップラー１０２ａと、配線１０２ｂと、を含む。モニタ用カップラー１０２ａは、送信信号モニタ用カップラーである。モニタ回路１０６は、モニタ用カップラー１０６ａと、配線１０６ｂと、を含む。モニタ用カップラー１０６ａは、送信時のリバースパワーのモニタ用カップラーである。受信回路１０７は、受信用アンプ１０７ａと、配線１０７ｂ〜１０７ｄと、を含む。
【００１１】
送信用アンプ１０１とモニタ回路１０２および１０６と配線１０８および１０９は、送信部に含まれる。受信回路１０７は、受信部に含まれる。サーキュレータ１０３と送受信切替スイッチ１０４と配線１１０および１０７ｂは、送信部と受信部の両方に含まれる。送信部と受信部とは交互に動作する。端子１１１、１１２、１１４および１１５は、例えば、送受信を制御する送受信制御回路（不図示）に接続されている。
【００１２】
送信用アンプ１０１は、送受信機１００が送信動作を行っているときに端子１１１に入力した送信信号を、配線１０８を介して受け付ける。送信用アンプ１０１は、配線１０８を介して受け付けた送信信号を増幅する。送信用アンプ１０１は、増幅後の送信信号を、配線１０９を介してサーキュレータ１０３に出力する。
【００１３】
モニタ回路１０２は、配線１０９を流れる送信信号の電力をモニタする処理を行う。
【００１４】
モニタ用カップラー１０２ａは、送受信機１００が送信動作を行っている間、送信用アンプ１０１にて増幅された送信信号の一部を、送信パワー（送信電力）のモニタ信号として取り出す。以下、送信パワー（送信電力）のモニタ信号を「送信パワーモニタ信号」と称する。モニタ用カップラー１０２ａは、送信パワーモニタ信号を、配線１０２ｂを介して端子１１２に出力する。
【００１５】
サーキュレータ１０３は、送信用アンプ１０１にて増幅された送信信号を受け付けると、送信用アンプ１０１にて増幅された送信信号を、配線１１０を介して端子１１３に出力する。端子１１３は、例えば、アンテナ（不図示）と接続されている。
【００１６】
また、サーキュレータ１０３は、端子１１３から信号を受け付けると、端子１１３から受け付けた信号を、配線１０７ｂを介して送受信切替スイッチ１０４に出力する。
【００１７】
送受信機１００が送信動作を行っている間、サーキュレータ１０３は、端子１１３へ出力した送信信号のうち端子１１３へ出力した後にサーキュレータ１０３へ戻ってきた信号であるリバース信号を受け付けることがある。リバース信号は、例えば、送信信号の端子１１３での反射または送信信号のアンテナでの反射によって生じる。
【００１８】
サーキュレータ１０３は、リバース信号を受け付けた場合、リバース信号を、送受信切替スイッチ１０４に出力する。
【００１９】
送受信切替スイッチ１０４は、送受信機１００が送信動作を行っている間は端子ａと接続し、一方、送受信機１００が受信動作を行っている間は端子ｂと接続する。このため、送受信機１００が送信動作を行っている間、リバース信号は、端子ａを介して抵抗１０５に出力される。
【００２０】
モニタ回路１０６は、リバース信号の電力をモニタする処理を行う。
【００２１】
モニタ用カップラー１０６ａは、送受信機１００が送信動作を行っている間、リバース信号の一部を、送信時のリバース信号のパワーのモニタ信号として取り出す。以下、送信時のリバース信号のパワーのモニタ信号を「リバースパワーモニタ信号」と称する。モニタ用カップラー１０６ａは、リバースパワーモニタ信号を、配線１０６ｂを介して端子１１４に出力する。
【００２２】
送受信機１００が受信動作を行っている間、サーキュレータ１０３には、端子１１３から受信信号が入力される。サーキュレータ１０３は、受信信号を送受信切替スイッチ１０４に出力する。
【００２３】
送受信切替スイッチ１０４は、送受信機１００が受信動作を行っている間は端子ｂと接続する。このため、受信用アンプ１０７ａは、送受信機１００が受信動作を行っている間、配線１０７ｂと送受信切替スイッチ１０４と配線１０７ｃとで構成される信号線を介して、受信信号を受け付ける。受信用アンプ１０７ａは、受信信号を受け付けると、その受信信号を増幅する。受信用アンプ１０７ａは、増幅後の受信信号を、配線１０７ｄを介して端子１１５に出力する。
【００２４】
受信用アンプ１０７ａと配線１０７ｂ〜１０７ｄとを有する受信回路１０７は、受信信号を増幅する処理を行う。
【００２５】
モニタ回路１０２は、モニタ回路１０６および送信用アンプ１０１と隣接して配置されている。このため、例えば、モニタ回路１０２とモニタ回路１０６との距離が近すぎると、モニタ回路１０２とモニタ回路１０６との間でのクロストークが大きくなる。クロストークが大きくなると、モニタ回路１０２の出力およびモニタ回路１０６の出力において誤差が大きくなり、誤差の増大により、送受信機１００が誤動作してしまうという課題があった。
【００２６】
送信部内の回路間の信号干渉を解決するためには、送信部に含まれる回路間の距離を大きくすることが効果的であるが、この距離を大きくすると、送信部の回路面積が大きくなり、送受信機が大きくなってしまうという課題があった。特に、近年、装置の小型化が進んでいることから、送受信機の小型化も重要な要素となっており、送受信機の大型化の問題は顕著になってきている。
【００２７】
本発明の目的は、上述した課題を解決可能な送受信機を提供することである。
【課題を解決するための手段】
【００２８】
本発明の送受信機は、ＴＤＤ方式で動作する送信部および受信部を含む送受信機であって、前記送信部は、送信に関する第１処理を行う第１回路と、送信に関する第２処理を行う第２回路と、を含み、前記受信部は、受信に関する処理を行う第３回路を含み、前記第３回路は、前記第１回路と前記第２回路との間に配置されている。
【発明の効果】
【００２９】
本発明によれば、ＴＤＤ方式で動作する送受信機において、送信部内の回路間で発生する信号干渉を抑えると共に送受信機の大型化を抑えることが可能になる。
【図面の簡単な説明】
【００３０】
【図１】本発明の第１実施形態の送受信機Ａを示したブロック図である。
【図２】本発明の第２実施形態の送受信機Ｂを示したブロック図である。
【図３】ＴＤＤ方式で動作する送受信機が有する送信部内の回路間の干渉の問題を説明するためのブロック図である。
【発明を実施するための形態】
【００３１】
以下、本発明の実施形態を図面を参照して説明する。
【００３２】
（第１実施形態）
図１は、本発明の第１実施形態の送受信機Ａを示したブロック図である。送受信機ＡはＴＤＤ方式で動作する。
【００３３】
図１において、送受信機Ａは、送信用アンプ１と、モニタ回路２と、サーキュレータ３と、送受信切替スイッチ４と、抵抗５と、モニタ回路６と、受信回路７と、配線８〜１０と、端子（TX IN）１１と、端子（TX MON OUT）１２と、端子（TX OUT/RX IN）１３と、端子（TX REV MON OUT）１４と、端子（RX OUT）１５と、を含む。
【００３４】
モニタ回路２は、モニタ用カップラー２ａと、配線２ｂと、を含む。モニタ用カップラー２ａは、送信信号モニタ用カップラーである。モニタ回路６は、モニタ用カップラー６ａと、配線６ｂと、を含む。モニタ用カップラー６ａは、送信時のリバースパワーのモニタ用カップラーである。受信回路７は、受信用アンプ７ａと、配線７ｂ〜７ｄと、を含む。
【００３５】
送信用アンプ１とモニタ回路２および６と配線８および９は、送信部に含まれる。受信回路７は、受信部に含まれる。サーキュレータ３と送受信切替スイッチ４と配線１０および７ｂは、送信部と受信部の両方に含まれる。送信部と受信部とは交互に動作する。端子１１、１２、１４および１５は、例えば、送受信を制御する送受信制御回路（不図示）に接続されている。
【００３６】
送信用アンプ１は、送受信機Ａが送信動作を行っているときに端子１１に入力した送信信号を、配線８を介して受け付ける。送信用アンプ１は、配線８を介して受け付けた送信信号を増幅する。送信用アンプ１は、増幅後の送信信号を、配線９を介してサーキュレータ３に出力する。
【００３７】
モニタ回路２は、一般的に第１回路と呼ぶことができる。モニタ回路２は、配線９を流れる送信信号の電力をモニタする処理を行う。なお、送信信号の電力をモニタする処理は、一般的に第１処理と呼ぶことができる。
【００３８】
モニタ用カップラー２ａは、送受信機Ａが送信動作を行っている間、送信用アンプ１にて増幅された送信信号の一部を、送信パワー（送信電力）のモニタ信号として取り出す。以下、送信パワー（送信電力）のモニタ信号を「第１モニタ信号」と称する。モニタ用カップラー２ａは、第１モニタ信号を、配線２ｂを介して端子１２に出力する。
【００３９】
サーキュレータ３は、送信用アンプ１にて増幅された送信信号を受け付けると、送信用アンプ１にて増幅された送信信号を、配線１０を介して端子１３に出力する。端子１３は、例えば、アンテナ（不図示）と接続されている。
【００４０】
また、サーキュレータ３は、端子１３から信号を受け付けると、端子１３から受け付けた信号を、配線７ｂを介して送受信切替スイッチ４に出力する。
【００４１】
送受信機Ａが送信動作を行っている間、サーキュレータ３は、端子１３へ出力した送信信号のうち端子１３へ出力した後にサーキュレータ３へ戻ってきた信号であるリバース信号を受け付けることがある。リバース信号は、例えば、送信信号の端子１３での反射または送信信号のアンテナでの反射によって生じる。
【００４２】
サーキュレータ３は、リバース信号を受け付けた場合、リバース信号を、送受信切替スイッチ４に出力する。
【００４３】
送受信切替スイッチ４は、送受信機Ａが送信動作を行っている間は端子ａと接続し、一方、送受信機Ａが受信動作を行っている間は端子ｂと接続する。このため、送受信機Ａが送信動作を行っている間、リバース信号は、配線７ｂおよび端子ａを介して抵抗５に出力される。
【００４４】
モニタ回路６は、一般的に第２回路と呼ぶことができる。モニタ回路６は、リバース信号の電力をモニタする処理を行う。なお、リバース信号の電力をモニタする処理は、一般的に第２処理と呼ぶことができる。
【００４５】
モニタ用カップラー６ａは、送受信機Ａが送信動作を行っている間、リバース信号の一部を、送信時のリバース信号のパワーのモニタ信号として取り出す。以下、送信時のリバース信号のパワーのモニタ信号を「第２モニタ信号」と称する。モニタ用カップラー６ａは、第２モニタ信号を、配線６ｂを介して端子１４に出力する。
【００４６】
送受信機Ａが受信動作を行っている間、サーキュレータ３には、端子１３から受信信号が入力される。サーキュレータ３は、受信信号を送受信切替スイッチ４に出力する。
【００４７】
送受信切替スイッチ４は、送受信機Ａが受信動作を行っている間は端子ｂと接続する。このため、受信用アンプ７ａは、送受信機Ａが受信動作を行っている間、配線７ｂと送受信切替スイッチ４と配線７ｃとで構成される信号線を介して、受信信号を受け付ける。受信用アンプ７ａは、受信信号を受け付けると、その受信信号を増幅する。受信用アンプ７ａは、増幅後の受信信号を、配線７ｄを介して端子１５に出力する。
【００４８】
受信用アンプ７ａと配線７ｂ〜７ｄとを有する受信回路７は、一般的に第３回路と呼ぶことができる。受信回路７は、受信信号を増幅する処理を行う。受信回路７は、モニタ回路２とモニタ回路６との間に配置されている。
【００４９】
次に、送受信機Ａが送信動作を行っているときの動作を説明する。
【００５０】
送信用アンプ１は、送受信機Ａが送信動作を行っているとき、配線８を介して受け付けた送信信号を増幅し、増幅後の送信信号をサーキュレータ３に出力する。
【００５１】
モニタ用カップラー２ａは、送受信機Ａが送信動作を行っているとき、送信用アンプ１にて増幅された送信信号の一部を、第１モニタ信号として取り出し、第１モニタ信号を端子１２に出力する。
【００５２】
サーキュレータ３は、送信用アンプ１にて増幅された送信信号を受け付けると、送信信号を端子１３に出力する。
【００５３】
また、サーキュレータ３は、送受信機Ａが送信動作を行っているときに、端子１３からリバース信号を受け付けた場合、リバース信号を、送受信切替スイッチ４に出力する。
【００５４】
送受信切替スイッチ４は、送受信機Ａが送信動作を行っている間は端子ａと接続しているため、リバース信号は、端子ａを介して抵抗５に出力される。
【００５５】
ＴＤＤ方式では、送信と受信が交互に行われるため、送信時に受信回路７は未使用である。そこで、本実施形態では、送信時に動作するモニタ回路２が有する配線２ｂと、送信時に動作するモニタ回路６が有する配線６ｂと、の間に、送信時には使用されていない受信回路７を配置することで、モニタ回路２とモニタ回路６との距離を広げ、かつ、モニタ回路２とモニタ回路６との間の領域を無駄にすることなく有効に利用できる。このため、送受信機Ａは、図３に示した送受信機１００と同じ回路構成要素を有しながら、図３に示した送受信機１００と同様の回路面積で、モニタ回路２とモニタ回路６とのアイソレーションを高めることが可能となる。
【００５６】
次に、本実施形態の効果を説明する。
【００５７】
本実施形態では、送受信機Ａが送信動作を行っているときに動作するモニタ回路２とモニタ回路６との間に、送受信機Ａが送信動作を行っているときに動作しない受信回路７が配置されている。
【００５８】
このため、モニタ回路２とモニタ回路６との距離を大きくでき、モニタ回路２とモニタ回路５との間のクロストークを低減することができ、かつ、送受信機Ａの大型化を抑制することも可能になる。なお、モニタ回路２および６の動作期間は、受信回路７の動作期間と重ならないため、モニタ回路２および６と受信回路７との間での信号の干渉は起こらない。
【００５９】
（第２実施形態）
図２は、本発明の第２実施形態の送受信機Ｂを示したブロック図である。なお、図２において、図１に示したものと同一構成のものには同一符号を付してある。
【００６０】
図１に示した第１実施形態では、モニタ回路２とモニタ回路６との間に受信回路７を配置したが、送信用アンプ１とモニタ回路２との間のアイソレーションを大きく取ることが必要な場合がある。
【００６１】
図２に示した第２実施形態は、送信用アンプ１とモニタ回路２との間のアイソレーションを大きくするために、送信用アンプ１とモニタ回路２との間に受信回路７が配置されている。なお、第２実施形態では、送信用アンプ１が第１回路の一例となり、モニタ回路２が第２回路の一例となる。
【００６２】
本実施形態によれば、送信用アンプ１とモニタ回路２との間に受信回路７が配置されているため、送信部内の送信用アンプ１とモニタ回路２と間で発生するクロストークを低減することができ、かつ、送受信機Ｂの大型化を抑えることが可能になる。
【００６３】
以上説明した各実施形態において、図示した構成は単なる一例であって、本発明はその構成に限定されるものではない。
【符号の説明】
【００６４】
Ａ、Ｂ      送受信機
１      送信用アンプ
２、６モニタ回路
２ａ、６ａ  モニタ用カップラー
２ｂ、６ｂ  配線
３      サーキュレータ
４      送受信切替スイッチ
５      抵抗
７      受信回路
７ａ    受信用アンプ
７ｂ〜７ｄ、８〜１０  配線
１１〜１５  端子
【図１】
2012070141.tif 000003
【図２】
2012070141.tif 000004
【図３】
2012070141.tif 000005